(57)【要約】【課題】薄く腰の弱いロール紙であっても、真っ直ぐに切断することができるように工夫したロール紙のカッター装置を提供する。【解決手段】ガイドレールに沿って丸刃を装備したホルダーを駆動手段を介して往復摺動させることによってロール紙の自動切断を行うカッター装置において、前記丸刃を互いの刃部を圧接させた駆動丸刃と従動丸刃とし、この一対の丸刃をロール紙の送り面に対し傾斜させると共に、前記ホルダーに前記ガイドレールに設けた案内軌道と圧接することによって回転移動するガイドローラを設け、このガイドローラに駆動丸刃を取り付け同軸回転するように構成する。また、このガイドレールに前記ホルダーと嵌合して該ホルダーを案内するガイド突条を設ける。【選択図】　　　　　図２
2004123281.tif 000002
【特許請求の範囲】
【請求項１】
ガイドレールに沿って丸刃を装備したホルダーを駆動手段を介して往復摺動させることによってロール紙の自動切断を行うカッター装置において、前記丸刃を互いの刃部を圧接させた駆動丸刃と従動丸刃とし、この一対の丸刃をロール紙の送り面に対し傾斜させると共に、前記ホルダーに前記ガイドレールに設けた案内軌道と圧接することによって回転移動するガイドローラを設け、このガイドローラに駆動丸刃を取り付け同軸回転するように構成したことを特徴とする、ロール紙のカッター装置。
【請求項２】
ガイドレールに沿って丸刃を装備したホルダーを駆動手段を介して往復摺動させることによってロール紙の自動切断を行うカッター装置において、前記丸刃を互いの刃部を圧接させた駆動丸刃と従動丸刃とし、この一対の丸刃をロール紙の送り面に対し傾斜させると共に、前記ホルダーに前記ガイドレールに設けた案内軌道と圧接することによって回転移動するガイドローラを設け、このガイドローラに駆動丸刃を取り付け同軸回転するように構成し、さらに、前記ガイドレールに前記ホルダーと嵌合して該ホルダーを案内するガイド突条を設けたことを特徴とする、ロール紙のカッター装置。
【請求項３】
前記ガイドローラを前記案内軌道へ押圧させる弾性手段を前記ホルダーに設けたことを特徴とする、請求項１及び２のいずれかに記載のロール紙のカッター装置。
【発明の詳細な説明】
【０００１】
【発明の属する技術分野】
この発明は、ファクシミリやＯＡ機器のプリンター等に内蔵させたロール紙を適当な長さに切断する際に用いて好適なロール紙のカッター装置に関する。
【０００２】
【従来の技術】
従来、この種のロール紙のカッター装置として、ガイドレールに沿って摺動自在に取り付けたホルダーと、このホルダーを前記ガイドレールに沿って摺動させる駆動手段と、前記ホルダーに取り付けられ前記ガイドレールに当接することにより該ホルダーの摺動動作に伴って回転するローラ部と、このローラ部と同軸に取り付けられ共に回転するように設けられた丸刃と、この丸刃と同軸に取り付けられて該丸刃の外周に圧接し該丸刃と共に回転するように設けられた丸刃押えと、この丸刃押えと前記丸刃との間に外周部を嵌入させて前記ホルダーへ回転自在に取り付けられた駆動丸刃とから成り、各丸刃がロール紙の送り方向と直交する方向に配置されているものが公知である（例えば、特許文献１参照）。
【０００３】
【特許文献】
特開平８−２７６３９１号公報（第２頁−４頁、図３−図５）
【０００４】
【発明が解決しようとする課題】
上述した従来公知のカッター装置は、互いに半径方向に交叉する一対の丸刃が、ロール紙の送り方向に対して直交する方向に配置されていたので、とくにロール紙が薄く腰の弱いものであると、切断時にロール紙が逃げたり、よれたりして、真っ直ぐに切断することが困難であるという問題があった。
【０００５】
この発明の目的は、薄く腰の弱いロール紙であっても、真っ直ぐに切断することができるように工夫したロール紙のカッター装置を提供せんとするにある。
【０００６】
【課題を解決するための手段】
上述した目的を達成するためにこの発明は、ガイドレールに沿って丸刃を装備したホルダーを駆動手段を介して往復摺動させることによってロール紙の自動切断を行うカッター装置において、前記丸刃を互いの刃部を圧接させた駆動丸刃と従動丸刃とし、この一対の丸刃をロール紙の送り面に対し傾斜させると共に、前記ホルダーに前記ガイドレールに設けた案内軌道と圧接することによって回転移動するガイドローラを設け、このガイドローラに駆動丸刃を取り付け同軸回転するように構成したことを特徴とする。
【０００７】
この発明はまた、ガイドレールに沿って丸刃を装備したホルダーを駆動手段を介して往復摺動させることによってロール紙の自動切断を行うカッター装置において、前記丸刃を互いの刃部を圧接させた駆動丸刃と従動丸刃とし、この一対の丸刃をロール紙の送り面に対し傾斜させると共に、前記ホルダーに前記ガイドレールに設けた案内軌道と圧接することによって回転移動するガイドローラを設け、このガイドローラに駆動丸刃を取り付け同軸回転するように構成し、さらに、前記ガイドレールに前記ホルダーと嵌合して該ホルダーを案内するガイド突条を設けたことを特徴とする。
【０００８】
その際にこの発明は、前記ガイドローラを前記案内軌道へ押圧させる弾性手段を前記ホルダーに設けることができる。
【０００９】
【発明の実施の形態】
以下にこの発明の一実施の形態を図面に基づいて詳細に説明する。
【００１０】
図面において、指示記号１は、例えばファクシミリの図示してない感熱サポート部に隣接して垂直方向に取り付けられる取付基板である。この取付基板１の長手方向に設けたロール紙の案内部１ａに沿って断面略異形Ｃチャンネル形状を呈した、ガイドレール２が取り付けられている。尚、図示を省略してあるが、取付基板１には、案内部１ａとの間に若干の間隙（スリット）を設けてガイドプレートが取り付けられるものである。ガイドレール２は、例えばステンレス鋼の平板を断面略Ｃチャンネル形状を呈するように折り曲げたものであり、その上部のロール紙案内部２ｃの下面には長手方向に沿って第１ガイド突条２ａが垂設され、下部のホルダー案内部２ｄには同じく長手方向に第１ガイド突条２ａと平行に第２ガイド突条２ｂが設けられている。尚、ガイドレールの素材は、アルミニウム製その他のものに代えることができる。
【００１１】
ガイドレール２には、ホルダー３が該ガイドレール２に沿って往復動作可能に取り付けられており、このガイドレール２の両端部に位置する取付基板１には、ホルダー３に取り付けたエンドレスベルト４を懸架する駆動プーリ５と従動プーリ６が取り付けられている。尚、このエンドレスベルト４は歯付ベルトであるが、これを通常の平ベルト、丸ベルト、Ｖベルト、ワイヤー等に代えることができる。
【００１２】
さらに、取付基板１には、ガイドレール２の両端部に位置して、ホルダー３のストッパー７，８と、該ホルダー３によってＯＮ、ＯＦＦされるリミットスイッチ９，１０が取り付けられている。
【００１３】
取付基板１の一側部（図１において右側端部）には、駆動モータ１１が取り付けられ、この駆動モータ１１の回転軸に取り付けた駆動ギア１２は、取付基板１に取り付けられた駆動ギア１２より大径の従動ギア１３と噛合し、この従動ギア１３に該従動ギア１３と同軸に駆動プーリ５が取り付けられている。
【００１４】
ホルダー３は、ガイドレール２のロール紙案内部２ｃの上下方向に位置する上部ハウジング１４ａと下部ハウジング１４ｂとから成るハウジング１４と、このハウジング１４の上部ハウジング１４ａ側に該上部ハウジング１４ａとの間に空白部を空けて取り付けられたカバー１５とから成る。
【００１５】
上部ハウジング１４ａ内には、支軸１６を介して従動丸刃１７がロール紙の送り方向に対して余角を形成するように斜めに枢支されており、下部ハウジング１４ｂ内には、ガイドローラ１８とこのガイドローラ１８に同軸に取り付けた駆動丸刃１９がロール紙の送り方向に対して従動丸刃１７と同一方向に傾斜して支軸２０により回転可能に取り付けられている。
【００１６】
そして、従動丸刃１７と駆動丸刃１９とは、その互いの刃部１７ａ，１９ａを半径方向から交叉させており、従動丸刃１７に接して支軸１６に取り付けた板バネ２１は、従動丸刃１７の刃部１７ａを駆動丸刃１９の刃部１９ａへ圧接させている。ガイドローラ１８の外周に設けた周溝１８ａには、ゴム製のＯリング２２が嵌着せられ、このＯリング２２はガイドレール２の上部のロール紙案内部２ｃの下面に接している。尚、ガイドローラ１８は傾斜しているため、テーパー状に構成してある。ホルダー３のハウジング１４の下部ハウジング１４ｂの上側と下側には、ガイドレール２に沿って第１ガイド溝１４ｃと第２ガイド溝１４ｄが設けられ、各々ガイドレール２に設けた第１ガイド突条２ａと第２ガイド突条２ｂを嵌合させている。さらに、ホルダー３のハウジング１４の下部ハウジング１４ｂの下端部には、弾性片１４ｅが設けられ、この弾性片１４ｅはその先端をガイドレール２の下部上面に圧接して、ガイドローラ１８に取り付けたＯリング２２をガイドレール２のロール紙案内部２ｃの下面に圧接させている。
【００１７】
そして、ホルダー３の下部ハウジング１４ｂの内側に設けた係止部１４ｆには、とくに図５に示したように、エンドレスベルト４の両端部が係止されている。
【００１８】
したがって、図示してない感熱サポート部より取付基板１のロール紙の案内部１ａとガイドレール２のロール紙案内部２ｃを介して印刷済みのロール紙ａが、とくに図４と図５に想像線で示したように所定長さ分送り出されて停止すると、駆動モータ１１の図示していない駆動回路がＯＮされ、その回転駆動力が駆動ギア１２と従動ギア１３を介して駆動プーリ５を回転させるので、この駆動プーリ５と従動プーリ６に懸架させたエンドレスベルト４に取り付けられたホルダー３がガイドレール２に案内されて該ガイドレール２に沿って図１に示された位置から左方向へ移動を開始する。すると、同時にガイドローラ１８が回転するので、駆動丸刃１９が回転し、同時に従動丸刃１７も回転することによって、ロール紙ａが切断される。切断されたロール紙ａは、とくに図２に示したように、ハウジング１４に設けたガイド溝１４ｇに案内されて分離される。
【００１９】
ロール紙ａがガイドレール２に沿って移動する駆動丸刃１９と従動丸刃１７によって完全に切断されると、ホルダー３は一方のストッパー７に当接して停止し、同時にホルダー３のハウジング１４の一方の端部に突設したスイッチ作動片１４ｈがリミットスイッチ９のアクチュエーター９ａを押してＯＦＦさせるので、駆動モータ１１も停止し、駆動回路を駆動モータ１１が反対方向へ回転するように切り換える。これによって、ホルダー３の往路動作が終了する。この状態を示したのが図６である。
【００２０】
次いで、駆動モータ１１は反対方向へ回転を開始するので、ホルダー３は先ほどとは逆の方向、つまり図１にホルダー３が位置する方向へガイドレール２に沿って移動し、ホルダー３がもう一方のストッパー８に当接し、同時にホルダー３のハウジング１４のもう一方の端部より突設したスイッチ作動片１４ｉが、もう一方のリミットスイッチ１０のアクチュエーター１０ａを押して駆動モータ１１の駆動回路をＯＦＦさせる。この状態を示したものが図１である。このようにして、ホルダー３によるロール紙ａの切断動作が終了する。
【００２１】
そして、その際にホルダー３の下部ハウジング１４ｂに設けた第１ガイド溝１４ｃと第２ガイド溝１４ｄが、ガイドレール２の第１ガイド突条２ａと第２ガイド突条２ｂと嵌合しているので、移動時においてホルダー３がふらつくことがないことと、駆動丸刃１９と従動丸刃１７がロール紙ａの送り方向に対し余角を形成するように斜交する状態で移動するので、ロール紙ａが送り出し方向へ引っ張られつつ切断することとなり、切断時にロール紙ａがよたったり、たわんだりしてしまうことを可及的に防止することができるものである。
【００２２】
【発明の効果】
この発明は以上のように構成したので、次のような効果を奏し得る。
【００２３】
請求項１のように構成すると、ローラ紙が薄く腰の弱い材質のものであっても、ロール紙の切断面が波状となったり、曲がったりすることを可及的に防止し、きれいに切断することができるものである。
【００２４】
請求項２のように構成すると、請求項１と同じ効果を奏した上で、ホルダーの移動時のふらつきを防止して、ロール紙の切断面が波状となったり、曲がったりするのをさらに確実に防止することができるものである。
【００２５】
請求項３のように構成すると、駆動丸刃の回転をより確実なものとし、ロール紙の切断面をより一層きれいなものとすることができる。
【図面の簡単な説明】
【図１】この発明に係るロール紙のカッター装置の正面図である。
【図２】図１に示したロール紙のカッター装置のホルダーの部分を拡大かつ一部を欠載して見た拡大正面図である。
【図３】図２の右側面図である。
【図４】図３のＡ−Ａ線断面図である。
【図５】図３のＢ−Ｂ線断面図である。
【図６】ホルダーの復路の開始位置状態を説明する説明図である。
【符号の説明】
１　　　取付基板
２　　　ガイドレール
２ａ　　第１ガイド突条
２ｂ　　第２ガイド突条
２ｃ　　ロール紙案内部
２ｄ　　ホルダー案内部
３　　　ホルダー
４　　　エンドレスベルト
５　　　駆動プーリ
６　　　従動プーリ
７　　　ストッパー
８　　　ストッパー
９　　　リミットスイッチ
１０　　リミットスイッチ
１１　　駆動モータ
１２　　駆動ギア
１３　　従動ギア
１４　　ハウジング
１４ａ　上部ハウジング
１４ｂ　下部ハウジング
１４ｃ　第１ガイド溝
１４ｄ　第２ガイド溝
１４ｅ　弾性片
１４ｆ　ベルト係止部
１４ｇ　用紙ガイド溝
１４ｈ　スイッチ作動片
１４ｉ　スイッチ作動片
１５　　カバー
１６　　支軸
１７　　従動丸刃
１８　　ガイドローラ
１９　　駆動丸刃
２０　　支軸
２１　　板バネ
２２　　Ｏリング
【図１】
2004123281.tif 000003
【図２】
2004123281.tif 000004
【図３】
2004123281.tif 000005
【図４】
2004123281.tif 000006
【図５】
2004123281.tif 000007
【図６】
2004123281.tif 000008